(57)【要約】【課題】ポーリング処理による省電力モードから通常モードへの遷移の遅延を抑制しつつ前記ポーリング処理に要する電力消費量を抑制することが可能な電子機器及びモード制御方法を提供すること。【解決手段】電子機器は、レジスタ５４３に記憶されるステータス情報を変更する通信処理部５４と、レジスタ５４３へのアクセス信号を通信処理部５４に向けて出力してステータス情報を取得するステータス取得処理を実行し、ステータス情報に応じて電子機器の動作モードを省電力モードから通常モードに遷移させるモード制御処理と再度のステータス取得処理とのいずれかの処理を実行するＣＰＵ５９と、ＣＰＵ５９から出力されるアクセス信号を通信処理部５４の前段で保持し、省電力モードから通常モードへの遷移条件の充足を示すステータス情報が通信処理部５４から入力された場合に、アクセス信号の保持を解除する信号制御部６２を備える。【選択図】図３
2016035671.tif 000002
【特許請求の範囲】
【請求項１】
予め定められたステータス情報を記憶するレジスタを有し、前記ステータス情報を変更するモジュールと、
前記レジスタへのアクセス信号を前記モジュールに向けて出力して前記レジスタから前記ステータス情報を取得するステータス取得処理を実行し、前記ステータス情報に応じて電子機器の動作モードを通常モードより消費電力が低減される省電力モードから前記通常モードに遷移させるモード制御処理と再度の前記ステータス取得処理とのいずれかの処理を実行するプロセッサーと、
前記プロセッサーから出力される前記アクセス信号を前記モジュールの前段で保持し、前記省電力モードから前記通常モードへの遷移条件の充足を示す前記ステータス情報が前記モジュールから入力された場合に、前記アクセス信号の保持を解除する信号制御部と、
を備える電子機器。
【請求項２】
前記プロセッサーの作業領域として使用され、通常状態及び前記通常状態より消費電力が低減される省電力状態のいずれかの動作状態で稼働するメモリーを更に備え、
前記信号制御部が、前記プロセッサーから出力される前記アクセス信号を保持した場合に前記メモリーを前記通常状態から前記省電力状態に遷移させ、前記省電力モードから前記通常モードへの遷移条件の充足を示す前記ステータス情報が前記モジュールから入力された場合には前記メモリーを前記省電力状態から前記通常状態に遷移させる請求項１に記載の電子機器。
【請求項３】
前記プロセッサーの作業領域として使用され、前記プロセッサーからアクセスされない状態が予め定められた時間継続した場合に、動作状態を通常状態から前記通常状態より消費電力が低減される省電力状態に遷移可能なメモリーを更に備え、
前記信号制御部が、前記省電力モードから前記通常モードへの遷移条件の充足を示す前記ステータス情報が前記モジュールから入力された場合に、前記メモリーを前記省電力状態から前記通常状態に遷移させる請求項１に記載の電子機器。
【請求項４】
モジュールが備えるレジスタに記憶される予め定められたステータス情報を変更する第１ステップと、
前記レジスタへのアクセス信号をプロセッサーから前記モジュールに向けて出力して前記レジスタから前記ステータス情報を取得するステータス取得処理を実行し、前記ステータス情報に応じて電子機器の動作モードを通常モードより消費電力が低減される省電力モードから前記通常モードに遷移させるモード制御処理と再度の前記ステータス取得処理とのいずれかの処理を実行する第２ステップと、
前記プロセッサーから出力される前記アクセス信号を前記モジュールの前段で保持し、前記省電力モードから前記通常モードへの遷移条件の充足を示す前記ステータス情報が前記モジュールから入力された場合に、前記アクセス信号の保持を解除する第３ステップと、
を含むモード制御方法。
【発明の詳細な説明】
【技術分野】
【０００１】
本発明は、複数の動作モードを有する電子機器及び電子機器のモード制御方法に関する。
【背景技術】
【０００２】
一般に、プリンターのような電子機器において、電子機器の動作モードを通常モードから通常モードより消費電力が低減される省電力モードに遷移可能な構成が知られている（例えば、特許文献１参照）。例えば、この種の電子機器では、電子機器に対する無操作状態が予め定められた時間継続した場合に、プロセッサーにより動作モードが通常モードから省電力モードに遷移される。また、電子機器の備えるモジュールにおいて外部から送信される印刷データが受信されたこと等の予め定められた遷移条件が充足された場合に、プロセッサーにより動作モードが省電力モードから通常モードに遷移される。ここで、省電力モード時においてプロセッサーがモジュールに対して遷移条件の充足の有無を問い合わせるポーリング処理を行う構成が知られている。
【先行技術文献】
【特許文献】
【０００３】
【特許文献１】特開平８−２５１３１６号公報
【発明の概要】
【発明が解決しようとする課題】
【０００４】
ところで、省電力モード時にポーリング処理が実行される場合には、プロセッサーからモジュールに対して多数回の問い合わせが行われるため、問い合わせの回数だけ電子機器における電力消費量が増大する。他方で、ポーリング処理における問い合わせの頻度を低下させた場合には、省電力モードから通常モードへの遷移が遅延する。
【０００５】
本発明の目的は、ポーリング処理による省電力モードから通常モードへの遷移の遅延を抑制しつつ前記ポーリング処理に要する電力消費量を抑制することが可能な電子機器及びモード制御方法を提供することにある。
【課題を解決するための手段】
【０００６】
本発明の一の局面に係る電子機器は、モジュールと、プロセッサーと、信号制御部とを備える。前記モジュールは、予め定められたステータス情報を記憶するレジスタを有し、前記ステータス情報を変更する。前記プロセッサーは、前記レジスタへのアクセス信号を前記モジュールに向けて出力して前記レジスタから前記ステータス情報を取得するステータス取得処理を実行し、前記ステータス情報に応じて電子機器の動作モードを通常モードより消費電力が低減される省電力モードから前記通常モードに遷移させるモード制御処理と再度の前記ステータス取得処理とのいずれかの処理を実行する。前記信号制御部は、前記プロセッサーから出力される前記アクセス信号を前記モジュールの前段で保持し、前記省電力モードから前記通常モードへの遷移条件の充足を示す前記ステータス情報が前記モジュールから入力された場合に、前記アクセス信号の保持を解除する。
【０００７】
本発明の他の局面に係るモード制御方法は、以下の第１ステップから第３ステップまでを含む。前記第１ステップは、モジュールが備えるレジスタに記憶される予め定められたステータス情報を変更する。前記第２ステップは、前記レジスタへのアクセス信号をプロセッサーから前記モジュールに向けて出力して前記レジスタから前記ステータス情報を取得するステータス取得処理を実行し、前記ステータス情報に応じて電子機器の動作モードを通常モードより消費電力が低減される省電力モードから前記通常モードに遷移させるモード制御処理と再度の前記ステータス取得処理とのいずれかの処理を実行する。前記第３ステップは、前記プロセッサーから出力される前記アクセス信号を前記モジュールの前段で保持し、前記省電力モードから前記通常モードへの遷移条件の充足を示す前記ステータス情報が前記モジュールから入力された場合に、前記アクセス信号の保持を解除する。
【発明の効果】
【０００８】
本発明によれば、ポーリング処理による省電力モードから通常モードへの遷移の遅延を抑制しつつ前記ポーリング処理に要する電力消費量を抑制することが可能な電子機器及びモード制御方法が実現される。
【図面の簡単な説明】
【０００９】
【図１】図１は、本発明の実施形態に係る画像形成装置の構成を示す図である。
【図２】図２は、本発明の実施形態に係る画像形成装置のシステム構成を示すブロック図である。
【図３】図３は、本発明の実施形態に係る画像形成装置の制御部の構成を示すブロック図である。
【図４】図４は、本発明の実施形態に係る画像形成装置の信号制御部で実行される信号制御処理の一例を示すフローチャートである。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定する性格のものではない。
【００１１】
［画像形成装置１０の概略構成］
まず、図１及び図２を参照しつつ、本発明の実施形態に係る画像形成装置１０の概略構成について説明する。ここで、図１は、前記画像形成装置１０の断面模式図である。
【００１２】
図１及び図２に示すように、前記画像形成装置１０は、ＡＤＦ１、画像読取部２、画像形成部３、給紙部４、制御部５、及び操作表示部７を備える。前記画像形成装置１０は、画像データに基づいて画像を形成するプリンター機能と共に、スキャン機能、ファクシミリ機能、又はコピー機能などの複数の機能を有する複合機である。ここに、前記制御部５を備える装置が、本発明における電子機器の一例である。また、本発明は、スキャナー装置、プリンター装置、ファクシミリ装置、コピー機、パーソナルコンピューター、タブレット端末、スマートフォンなどの電子機器に適用可能である。
【００１３】
前記ＡＤＦ１は、原稿セット部、複数の搬送ローラー、原稿押さえ、及び排紙部を備え、前記画像読取部２によって読み取られる原稿を搬送する自動原稿搬送装置である。前記画像読取部２は、原稿台、読取ユニット、複数のミラー、光学レンズ、及びＣＣＤ（Charge Coupled Device）を備え、原稿から画像データを読み取る画像読取処理を実行することが可能である。
【００１４】
前記画像形成部３は、前記画像読取部２で読み取られた画像データ又は外部のパーソナルコンピューター等の情報処理装置から入力された画像データに基づいて、電子写真方式で画像を形成する画像形成処理（印刷処理）を実行することが可能である。具体的に、前記画像形成部３は、感光体ドラム、帯電装置、光走査装置（ＬＳＵ）、現像装置、転写ローラー、クリーニング装置、定着ローラー、加圧ローラー、及び排紙トレイを備える。そして、前記画像形成部３では、前記給紙部４から供給されるシートに画像が形成されて、画像形成後の前記シートが前記排紙トレイに排出される。なお、前記シートは、紙、コート紙、ハガキ、封筒、及びＯＨＰシートなどのシート材料である。
【００１５】
前記操作表示部７は、前記制御部５からの制御指示に応じて各種の情報を表示する液晶ディスプレーなどの表示部、及びユーザーの操作に応じて前記制御部５に各種の情報を入力する操作キー又はタッチパネルなどの操作部を有する。
【００１６】
次に、図３を参照しつつ、前記制御部５について説明する。
【００１７】
前記制御部５は、前記画像形成装置１０の各構成を統括的に制御する。具体的に、前記制御部５は、図３に示すように、画像入力部５１、画像処理部５２、画像出力部５３、通信処理部５４、ＤＲＡＭ５５、ＲＯＭ５６、ＳＲＡＭ５７〜５８、ＣＰＵ５９、及び信号制御部６２を備える。
【００１８】
ここで、前記制御部５において、前記画像入力部５１、前記画像処理部５２、前記画像出力部５３、前記ＤＲＡＭ５５、前記ＲＯＭ５６、前記ＳＲＡＭ５７〜５８、及び前記信号制御部６２は、バス５０を介して相互に通信可能に接続されている。また、前記制御部５において、前記通信処理部５４は前記信号制御部６２を介して前記バス５０に接続され、前記ＣＰＵ５９は前記ＳＲＡＭ５８を介して前記バス５０に接続されている。
【００１９】
前記画像入力部５１は、前記画像読取部２の前記ＣＣＤから入力される画像データに対してシェーディング補正処理、ガンマ補正処理等の画像処理を実行し、画像処理後の画像データを前記ＤＲＡＭ５５に記憶させる。
【００２０】
前記画像処理部５２は、前記ＤＲＡＭ５５から画像データを読み出して、圧縮伸張処理、変倍処理、回転処理等の画像処理を実行し、画像処理後の画像データを前記ＤＲＡＭ５５に記憶させる。
【００２１】
前記画像出力部５３は、前記ＤＲＡＭ５５から画像データを読み出して、ラスタライズ処理、スクリーン処理等の画像処理を実行し、画像処理後の画像データを前記画像形成部３の前記光走査装置に出力する。
【００２２】
前記通信処理部５４は、外部の通信装置との間で各種の通信規約に従った通信を行う。具体的に、前記通信処理部５４は、ネットＩ／Ｆ５４１、ファクスＩ／Ｆ５４２、及びレジスタ５４３を備える。
【００２３】
前記ネットＩ／Ｆ５４１は、前記外部の通信装置との間でインターネット又はＬＡＮなどの通信ネットワークを介して有線又は無線のデータ通信を実行するインターフェイスである。前記ファクスＩ／Ｆ５４２は、前記外部の通信装置との間で電話回線網を介してファクス通信を実行するインターフェイスである。前記レジスタ５４３は、前記外部の通信装置からの前記画像形成部３を用いた前記印刷処理の実行指示の受信の有無を示す受信状態情報を記憶する。
【００２４】
ここで、前記通信処理部５４は、前記ネットＩ／Ｆ５４１又は前記ファクスＩ／Ｆ５４２において前記外部の通信装置から前記印刷処理の実行指示を受信した場合には、前記レジスタ５４３に記憶されている前記受信状態情報を変更する。ここに、前記通信処理部５４が、本発明におけるモジュールの一例である。また、前記受信状態情報が、本発明におけるステータス情報の一例である。
【００２５】
例えば、前記通信処理部５４は、前記受信状態情報の内容を前記印刷処理の実行指示を受信していないことを示す「０」の値から、前記印刷処理の実行指示を受信したことを示す「１」の値に変更する。なお、前記通信処理部５４は、前記印刷処理の実行指示に引き続いて前記外部の通信装置から送信される印刷データを受信して、受信した前記印刷データを前記ＤＲＡＭ５５に記憶される。
【００２６】
前記ＤＲＡＭ５５は、前記画像入力部５１、前記画像処理部５２、前記画像出力部５３、前記通信処理部５４、及び前記ＣＰＵ５９が実行する各種の処理の一時記憶メモリー（作業領域）として使用される記憶装置である。例えば、前記ＤＲＡＭ５５には、ＤＤＲ−ＳＤＲＡＭが用いられる。
【００２７】
前記ＣＰＵ５９は、各種の演算処理を実行するプロセッサーである。また、前記ＲＯＭ５６は、前記ＣＰＵ５９に各種の処理を実行させるための制御プログラムなどの情報が予め記憶される不揮発性の記憶装置である。そして、前記ＣＰＵ５９は、前記ＲＯＭ５６に予め記憶された各種の制御プログラムを実行することにより、前記画像形成装置１０を統括的に制御する。ここに、前記ＣＰＵ５９が、本発明におけるプロセッサーの一例である。
【００２８】
前記ＳＲＡＭ５７は、前記ＣＰＵ５９による命令コードの読み出しのために前記制御プログラムが一時的に記憶される揮発性の記憶部である。また、前記ＳＲＡＭ５８は、前記ＣＰＵ５９によって命令キャッシュ及びデータキャッシュとして用いられる揮発性の記憶部である。
【００２９】
ここで、前記ＳＲＡＭ５７〜５８は、通常状態及び前記通常状態より消費電力が低減される省電力状態のいずれかの動作状態で稼働することが可能である。ここに、前記ＳＲＡＭ５７〜５８が、本発明におけるメモリーの一例である。例えば、前記ＳＲＡＭ５７〜５８は、各々に対応する不図示のメモリーコントローラーから送信される制御信号により、動作状態が遷移される。
【００３０】
より具体的に、前記省電力状態では、前記ＳＲＡＭ５７〜５８に対する外部からのアクセスが不可能となる一方で、その記憶内容は保持される。例えば、前記ＳＲＡＭ５７〜５８は、前記省電力状態において、前記メモリーコントローラーからのクロック信号の供給が停止される。また、前記省電力状態において、前記ＳＲＡＭ５７〜５８は、前記メモリーコントローラーからの電力の供給が一部停止されてもよい。
【００３１】
また、前記制御部５は、図２に示すように、第１状態制御部６０及び第２状態制御部６１を含む。具体的に、前記制御部５は、前記ＣＰＵ５９を用いて前記ＲＯＭ５６に記憶されている前記制御プログラムを実行することにより、前記第１状態制御部６０及び前記第２状態制御部６１として機能する。
【００３２】
前記第１状態制御部６０は、予め定められた第１遷移条件が充足された場合に、前記画像形成装置１０の動作モードを通常モードから前記通常モードより消費電力が低減される省電力モードに遷移させる。具体的に、前記省電力モードでは、前記画像形成装置１０の各構成に対する給電が、外部通信の待受け機能等を担う一部の構成を除いて停止される。例えば、前記省電力モードにおいて、前記画像入力部５１、前記画像処理部５２、前記画像出力部５３、及び前記ＤＲＡＭ５５に対する給電が停止される。
【００３３】
ここで、前記第１遷移条件には、ユーザーによる前記操作表示部７に対する無操作状態が予め定められた時間継続したことが含まれる。また、前記第１遷移条件に、ユーザーによる前記操作表示部７に対する予め定められた操作が行われたことが含まれていてもよい。
【００３４】
前記第２状態制御部６１は、予め定められた第２遷移条件が充足された場合に、前記画像形成装置１０の動作モードを前記省電力モードから前記通常モードに遷移させる。
【００３５】
ここで、前記第２遷移条件には、前記外部の通信装置から前記印刷処理の実行指示を受信したことが含まれる。即ち、前記第２状態制御部６１は、前記通信処理部５４において前記外部の通信装置から前記印刷処理の実行指示が受信された場合に、前記画像形成装置１０の動作モードを前記省電力モードから前記通常モードに遷移させる。
【００３６】
具体的に、前記第２状態制御部６１は、前記レジスタ５４３へのアクセス信号を前記通信処理部５４に向けて出力して前記レジスタ５４３から前記受信状態情報を取得する受信状態情報取得処理を実行する。そして、前記第２状態制御部６１は、前記受信状態情報取得処理で取得した前記受信状態情報の内容に応じて、前記画像形成装置１０の動作モードを前記省電力モードから前記通常モードに遷移させるモード制御処理と、再度の前記受信状態情報取得処理とのいずれかの処理を実行する。ここに、前記受信状態情報取得処理が、本発明におけるステータス取得処理の一例である。
【００３７】
例えば、前記第２状態制御部６１は、取得した前記受信状態情報の内容が「１」である場合に、前記モード制御処理を実行する。一方、前記第２状態制御部６１は、取得した前記受信状態情報の内容が「０」である場合には、再度の前記受信状態情報取得処理を実行する。
【００３８】
なお、前記第２遷移条件には、前記操作表示部７に対する操作が行われたことが含まれていてもよい。この場合、前記通信処理部５４が、前記操作表示部７に対する操作が行われた場合にも、前記レジスタ５４３に記憶された情報を変更することが考えられる。
【００３９】
このように、前記画像形成装置１０では、前記省電力モード時において、前記制御部５が前記第２状態制御部６１として機能することで、前記通信処理部５４に対して前記第２遷移条件の充足の有無を問い合わせる所謂ポーリング処理が実行される。
【００４０】
ところで、前記画像形成装置１０のような電子機器において、前記省電力モード時に前記ポーリング処理が実行される場合には、前記制御部５から前記通信処理部５４などのモジュールに対して多数回の問い合わせが行われるため、問い合わせの回数だけ電子機器における電力消費量が増大する。他方で、前記ポーリング処理における問い合わせの頻度を低下させた場合には、前記省電力モードから前記通常モードへの遷移が遅延する。これに対して、前記画像形成装置１０では、以下に説明するように、前記ポーリング処理による前記省電力モードから前記通常モードへの遷移の遅延を抑制しつつ、前記ポーリング処理に要する電力消費量が抑制されている。
【００４１】
次に、図３を参照しつつ、前記信号制御部６２について説明する。
【００４２】
前記信号制御部６２は、前記第２状態制御部６１として機能する前記ＣＰＵ５９から出力される前記アクセス信号を前記通信処理部５４の前段で保持する。そして、前記信号制御部６２は、前記第２遷移条件の充足を示す前記受信状態情報が前記通信処理部５４から入力された場合に、前記アクセス信号の保持を解除する。なお、前記信号制御部６２は、予め定められた処理を実行可能に構成された電子回路により構成される。
【００４３】
具体的に、前記信号制御部６２は、図３に示すように、前記アクセス信号を保持するシフトレジスタ６２１を備える。また、前記信号制御部６２は、前記通信処理部５４及び前記バス５０の間に介在して設けられており、前記ＣＰＵ５９から前記通信処理部５４に向けて出力される信号を監視可能である。これにより、前記信号制御部６２は、前記ＣＰＵ５９から前記通信処理部５４に向けて出力される信号のうち、前記アクセス信号を前記シフトレジスタ６２１に保持することが可能である。
【００４４】
更に、前記信号制御部６２は、図３に示すように、信号線５４３Ａによって前記レジスタ５４３と直接接続されている。これにより、前記レジスタ５４３は、前記受信状態情報に対応する電気信号を前記信号制御部６２に出力することが可能である。
【００４５】
ところで、前記信号制御部６２により前記ＣＰＵ５９から出力される前記アクセス信号が保持される場合には、前記レジスタ５４３から前記受信状態情報が送信されるまでの間、前記ＣＰＵ５９の動作は停止する。そこで、前記画像形成装置１０では、前記ＣＰＵ５９の動作が停止している間、前記ＳＲＡＭ５７〜５８の動作状態が前記通常状態から前記省電力状態に遷移される。
【００４６】
具体的に、前記信号制御部６２は、前記ＣＰＵ５９から出力される前記アクセス信号を保持した場合に、前記ＳＲＡＭ５７〜５８を前記通常状態から前記省電力状態に遷移させる。また、前記信号制御部６２は、前記第２遷移条件の充足を示す前記受信状態情報が前記通信処理部５４から入力された場合には、前記ＳＲＡＭ５７〜５８を前記省電力状態から前記通常状態に遷移させる。例えば、前記信号制御部６２は、前記メモリーコントローラーに前記制御信号を送信させることで、前記ＳＲＡＭ５７〜５８の動作状態を遷移させる。
【００４７】
［信号制御処理］
以下、図４を参照しつつ、前記画像形成装置１０において前記信号制御部６２が実行する信号制御処理の手順の一例について説明する。ここで、ステップＳ１、Ｓ２・・・は、前記信号制御部６２により実行される処理手順（ステップ）の番号を表している。
【００４８】
なお、前記信号制御処理は、前記第２状態制御部６１により実行される前記ポーリング処理及び前記通信処理部５４により実行される前記受信状態情報の変更処理と並行して実行される。ここに、前記通信処理部５４による前記受信状態情報の変更処理の実行が、本発明における第１ステップの一例である。また、前記第２状態制御部６１による前記ポーリング処理の実行が、本発明における第２ステップの一例である。また、前記信号制御部６２による前記信号制御処理の実行が、本発明における第３ステップの一例である。
【００４９】
＜ステップＳ１＞
まず、ステップＳ１において、前記信号制御部６２は、前記ＣＰＵ５９から前記通信処理部５４に向けて出力される信号が前記アクセス信号であるか否かを判断する。
【００５０】
ここで、前記信号制御部６２は、前記ＣＰＵ５９から前記通信処理部５４に向けて出力される信号が前記アクセス信号であると判断すると（Ｓ１のＹｅｓ側）、処理をステップＳ２に移行させる。また、前記ＣＰＵ５９から前記通信処理部５４に向けて出力される信号が前記アクセス信号でなければ（Ｓ１のＮｏ側）、前記信号制御部６２は、前記ステップＳ１で前記ＣＰＵ５９から前記通信処理部５４に向けて前記アクセス信号が出力されるのを待ち受ける。
【００５１】
＜ステップＳ２＞
ステップＳ２において、前記信号制御部６２は、前記アクセス信号を前記シフトレジスタ６２１に保持する。これにより、前記第２状態制御部６１による前記ポーリング処理の実行は、後述のステップＳ６で前記アクセス信号の保持が解除されて前記レジスタ５４３から前記受信状態情報が送信されるまでの間、停止される。
【００５２】
＜ステップＳ３＞
ステップＳ３において、前記信号制御部６２は、前記メモリーコントローラーに前記制御信号を送信させて、前記ＳＲＡＭ５７及び前記ＳＲＡＭ５８を前記通常状態から前記省電力状態に遷移させる。これにより、前記第２状態制御部６１による前記ポーリング処理の実行が停止されている間、前記ＳＲＡＭ５７〜５８における電力消費量が抑制される。
【００５３】
＜ステップＳ４＞
ステップＳ４において、前記信号制御部６２は、前記レジスタ５４３から前記信号線５４３Ａを介して前記第２遷移条件の充足を示す前記受信状態情報に対応する電気信号が入力されたか否かを判断する。
【００５４】
ここで、前記信号制御部６２は、前記第２遷移条件の充足を示す前記受信状態情報に対応する電気信号が入力されたと判断すると（Ｓ４のＹｅｓ側）、処理をステップＳ５に移行させる。また、前記第２遷移条件の充足を示す前記受信状態情報に対応する電気信号が入力されていなければ（Ｓ４のＮｏ側）、前記信号制御部６２は、前記ステップＳ４で前記第２遷移条件の充足を示す前記受信状態情報に対応する電気信号の入力を待ち受ける。
【００５５】
＜ステップＳ５＞
ステップＳ５において、前記信号制御部６２は、前記メモリーコントローラーに前記制御信号を送信させて、前記ＳＲＡＭ５７及び前記ＳＲＡＭ５８を前記省電力状態から前記通常状態に遷移させる。これにより、前記第２状態制御部６１による前記ポーリング処理の実行が再開される前に、前記ＳＲＡＭ５７〜５８が前記省電力状態から前記通常状態に遷移されるため、前記ＣＰＵ５９による前記ＳＲＡＭ５７〜５８の使用に支障が生じることがない。
【００５６】
＜ステップＳ６＞
ステップＳ６において、前記信号制御部６２は、前記シフトレジスタ６２１での前記アクセス信号の保持を解除する。これにより、前記通信処理部５４による前記受信状態情報の変更処理の実行によって前記受信状態情報の内容が前記第２遷移条件の充足を示す情報に変更された直後に、前記ポーリング処理の実行が再開される。
【００５７】
このように、前記画像形成装置１０では、前記信号制御部６２が前記アクセス信号を保持することで、前記第２遷移条件が充足されるまでの間、前記ポーリング処理の実行が停止される。これにより、前記ポーリング処理による前記省電力モードから前記通常モードへの遷移の遅延を抑制しつつ、前記ポーリング処理に要する電力消費量を抑制することが可能である。
【００５８】
なお、前記ＳＲＡＭ５７〜５８が、前記ＣＰＵ５９からアクセスされない状態が予め定められた時間継続した場合に、動作状態を前記通常状態から前記省電力状態に遷移可能である構成が他の実施形態として考えられる。この場合、前記信号制御部６２は、前記第２遷移条件の充足を示す前記受信状態情報が前記通信処理部５４から入力された場合に、前記ＳＲＡＭ５７〜５８を前記省電力状態から前記通常状態に遷移させることが考えられる。
【符号の説明】
【００５９】
１  ：ＡＤＦ
２  ：画像読取部
３  ：画像形成部
４  ：給紙部
５  ：制御部
５１：画像入力部
５２：画像処理部
５３：画像出力部
５４：通信処理部
５４３：レジスタ
５５：ＤＲＡＭ
５６：ＲＯＭ
５７〜５８：ＳＲＡＭ
５９：ＣＰＵ
６０：第１状態制御部
６１：第２状態制御部
６２：信号制御部
６２１：シフトレジスタ
７  ：操作表示部
１０：画像形成装置
【図１】
2016035671.tif 000003
【図２】
2016035671.tif 000004
【図３】
2016035671.tif 000005
【図４】
2016035671.tif 000006